(57)【特許請求の範囲】
【請求項１】
車体の後端に設置されるリアバンパを備える車体後部構造において、当該車体後部構造はさらに、
前記リアバンパの車内側に配置されバックドアの下に位置するバックパネルと、
前記バックドアに設けられ該バックドアの開閉状態を切り替える開閉スイッチとを備え、
前記バックパネルは、後方に突出していて前記開閉スイッチより車両下方に位置する凸形状を有し、
前記凸形状は、前記バックパネルの下半分に位置していて、
前記バックパネルの上半分には、車体側に連結されたストライカが位置していて、
前記凸形状の後端は、車両前後方向において、前記開閉スイッチと等しいまたはそれよりも後方の位置にあることを特徴とする車体後部構造。
【請求項２】
車体の後端に設置されるリアバンパを備える車体後部構造において、当該車体後部構造はさらに、
前記リアバンパの車内側に配置されバックドアの下に位置するバックパネルと、
前記バックドアに設けられ該バックドアの開閉状態を切り替える開閉スイッチとを備え、
前記バックパネルは、後方に突出していて前記開閉スイッチより車両下方に位置する凸形状を有し、
前記凸形状は、前記バックパネルの下半分に位置していて、
前記バックパネルの上半分には、車体側に連結されたストライカが位置していて、
前記凸形状の後端は、車両前後方向において、前記開閉スイッチよりも所定の距離だけ前方の位置にあることを特徴とする車体後部構造。
【請求項３】
前記車体後部構造はさらに、前記バックパネルの凸形状の車内側に配置され車載工具を保持する保持部材を備えることを特徴とする請求項１または２に記載の車体後部構造。
【発明の詳細な説明】
【技術分野】
【０００１】
本発明は、車体の後端に設置されるリアバンパを備える車体後部構造に関するものである。
【背景技術】
【０００２】
例えばサウジアラビヤ、インド、中国等の諸外国では、従来より、車体後部に対するインパクタ試験（リアバンパテスト）が行なわれている。リアバンパテストは、１つの衝撃体を、リアバンパおよびリアバンパの車内側に配置されたバックドア開閉用の開閉スイッチへ、車体後方から衝突（いわゆる後突）させ、後突後に開閉スイッチを用いてバックドアが開くか否かを確認するものである。後突後に開閉スイッチを用いてバックドアが開かなければリアバンパテストに合格することができず、当該外国の法規を満足しなくなる。よって、リアバンパテストによる後突後に開閉スイッチが機能するよう、開閉スイッチを保護可能な構造が求められている。
【０００３】
そこで、例えばリアバンパの後端を後方に伸ばし、リアバンパを開閉スイッチよりも先に衝撃体に後突させたり、バックパネルの中央に衝撃吸収用のパッドや部材を別途設けたりすることで衝撃を吸収し、開閉スイッチの破損を防ぐことが行なわれている。例えば特許文献１には、リアサイドフレームに加えて、衝撃を吸収するリアセンタフレームを車両前後方向に設けて、衝撃の吸収量を増大させることが開示されている。
【先行技術文献】
【特許文献】
【０００４】
【特許文献１】特開２００９−６７３７６号公報
【発明の概要】
【発明が解決しようとする課題】
【０００５】
しかしながら、法規を満足させるためにリアバンパの後端を後方に伸ばさざるを得ないとすれば、車両後部のデザインがそのようなリアバンパを有するものに制限されてしまう。また、パッドや部材を別途設けた場合では、部品点数が増えるため、コストや重量の増加の問題があった。
【０００６】
本発明は、このような課題に鑑み、車両後部のデザインが制限されたり、部品点数が増加したりすることなく、リアバンパテスト時に衝撃体が後突した際の衝撃を十分に吸収して、後突後に開閉スイッチが機能可能な車体後部構造を提供することを目的とする。
【課題を解決するための手段】
【０００７】
上記課題を解決するために、本発明にかかる車体後部構造の代表的な構成は、車体の後端に設置されるリアバンパを備える車体後部構造において、当該車体後部構造はさらに、リアバンパの車内側に配置されバックドアの下に位置するバックパネルと、バックドアに設けられバックドアの開閉状態を切り替える開閉スイッチとを備え、バックパネルは、後方に突出した凸形状を有し、凸形状の後端は、車両前後方向において、開閉スイッチと等しいまたはそれよりも後方の位置にあることを特徴とする。
【０００８】
本発明の車体後部構造によれば、バックパネルが後方に突出した凸形状を有する。この凸形状の後端は、車両前後方向において、開閉スイッチと等しいまたはそれよりも後方の位置にある。よって、リアバンパテスト時には、衝撃体が、開閉スイッチよりも先に凸形状の後端に接触する。そのため、衝撃体からの衝撃を、リアバンパおよびバックパネルという２つの部材で吸収でき、車体への衝撃体の侵入量を減らすことができる。これにより、衝撃体が開閉スイッチと接触することを防ぎ、あるいは、衝撃体が開閉スイッチに接触したとしても開閉スイッチに加わる衝撃を軽減可能になる。これらのことにより、後突後、開閉スイッチを機能させることが可能である。
【０００９】
また本発明によれば、バックパネルの形状を工夫することで衝撃の吸収体を構成しているため、部品点数が増加することがなく、コストや重量の増加、および車両後部のデザインの制限といった問題を生じることもない。
【００１０】
また本発明にかかる車体後部構造の別の構成は、車体の後端に設置されるリアバンパを備える車体後部構造において、当該車体後部構造はさらに、リアバンパの車内側に配置されバックドアの下に位置するバックパネルと、バックドアに設けられバックドアの開閉状態を切り替える開閉スイッチとを備え、バックパネルは、後方に突出した凸形状を有し、凸形状の後端は、車両前後方向において、開閉スイッチよりも所定の距離だけ前方の位置にあることを特徴とする。
【００１１】
リアバンパテストに用いられる衝撃体は、通常、バックパネルと同等の高さにある下側の第１後突部と、開閉スイッチと同等の高さにあり第１後突部よりも後方に位置する上側の第２後突部とを有する。すなわち衝撃体は、ヒットポイントである第１後突部が第２後突部よりも隆起した形状を有していて、まず隆起した第１後突部が車体後端に先に接近し、リアバンパおよびバックパネルに迫る。続いて第２後突部がリアバンパおよび開閉スイッチに迫る。
【００１２】
本発明によれば、上記の「所定の距離」を、衝撃体の第１後突部と第２後突部との車両前後方向における距離以下に設定することで、リアバンパテスト時、第２後突部が開閉スイッチに後突するよりも先に第１後突部がリアバンパに後突することとなる。このようにすることで、リアバンパテスト時、衝撃体の第１後突部を、開閉スイッチよりも先に凸形状の後端に接触させることができる。
【００１３】
上記車体後部構造はさらに、バックパネルの凸形状の車内側に配置され車載工具を保持する保持部材を備えるとよい。このようにすることで、凸形状に車載工具を搭載できる。よって車内スペースをより効果的に活用することができる。
【発明の効果】
【００１４】
本発明によれば、車両後部のデザインが制限されたり、部品点数が増加したりすることなく、リアバンパテスト時に衝撃体が後突した際の衝撃を十分に吸収して、後突後に開閉スイッチが機能可能な車体後部構造を提供することが可能である。
【図面の簡単な説明】
【００１５】
【図１】本発明の第１実施形態に係る車体後部構造を適用する車両の後端を示す斜視図である。
【図２】図１に示す車両におけるバックパネルを車両後方から見た図である。
【図３】図１のＡ−Ａ断面図である。
【図４】図２のバックパネルを車内側から見た斜視図である。
【図５】本発明の第２実施形態に係る車体後部構造を適用する車両の車体後部の断面を示した図３と対応する図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（第１実施形態）
図１は、本発明の第１実施形態に係る車体後部構造を適用する車両１００の後端を示す斜視図である。以下、各図に示す矢印ＸおよびＹは、車両上方および車両前方をそれぞれ示す。
【００１８】
図１に示すように、車両１００の後端には、開閉体としてのバックドア１０２が備えられる。バックドア１０２の下方には、車体の後端に設置されて車体後面を構成するリアバンパ１０４が設置されている。リアバンパ１０４の車内側であって、バックドア１０２の下には、図１では見えないものの、バックパネル１１０（図２）が配置されている。
【００１９】
図２は、図１に示す車両１００におけるバックパネル１１０を車両後方から見た図である。図３は、図１のＡ−Ａ断面図である。図３に示すように、バックパネル１１０は、バックドア１０２下方の車室内面を構成している。図２および図３に示すように、バックパネル１１０は、後方に突出した凸形状１１２を有している。図３に示すように、本実施形態では、凸形状１１２はバックパネル１１０の下半分における一部が全体的に後方に突出することで形成されている。また凸形状１１２は、後方に進むほど狭くなる台形状に突出している。図２に示すように、凸形状１１２は車幅方向におけるおおむね中央にある。
【００２０】
図３において、バックドア１０２にはラッチ１４０が連結されていて、車体側にはストライカ１４２が連結されている。ラッチ１４０とストライカ１４２とが噛み合うことで、バックドア１０２の閉状態が維持される。この閉状態を開状態に切り替えるために、バックドア１０２は下端に開閉スイッチ１４４を備えている。開閉スイッチ１４４を操作すると、ラッチ１４０とストライカ１４２との噛み合わせが解除され、バックドア１０２は開状態となる。開閉スイッチ１４４を操作するために、バックドア１０２とリアバンパ１０４との境界の中央に間隙１４６が形成され、利用者はこの間隙１４６に手を入れて開閉スイッチ１４４を操作する。
【００２１】
図３を用いて、リアバンパテスト時に車体後方から後突する衝撃体１６０について説明する。リアバンパテスト時は、１つの衝撃体１６０が、図３に矢印Ｃで示すように、車体後方からリアバンパ１０４、および開閉スイッチ１４４へ迫る。なお図３では、分かり易くするために衝撃体１６０は概略的に例示している。衝撃体１６０は、通常、第１後突部１６２と第２後突部１６４とを有している。第１後突部１６２は所定の高さＨ１で車両前方に、台形状に突出して、リアバンパ１０４およびバックパネル１１０に迫る部分である。第２後突部１６４は、第１後突部１６２より後方にあり、開閉スイッチ１４４と同等の高さまで垂直に延びた部分である。リアバンパテスト時は、第２後突部１６４は開閉スイッチ１４４に迫る。
【００２２】
本実施形態ではこのようなリアバンパテスト時において、第２後突部１６４が開閉スイッチ１４４に接触するよりも先に、第１後突部１６２をバックパネル１１０の凸形状１１２と接触させて、衝撃体１６０からの衝撃を凸形状１１２で吸収することを特徴としている。よって、図３に示すように、本実施形態では、凸形状１１２の後端１１７は、車両前後方向において、開閉スイッチ１４４（その位置を二点鎖線Ｔで示す）よりも後方にある。なお本実施形態では凸形状１１２の後端１１７を車両前後方向において開閉スイッチ１４４よりも後方の位置にしているが、これに限定するわけではなく、図示しないものの、車両前後方向において開閉スイッチ１４４の後端と等しい位置にしてもよい。
【００２３】
このように本実施形態では、リアバンパテスト時に最初に車両１００の後部に衝突する第１後突部１６２による衝撃を、リアバンパ１０４およびバックパネル１１０における凸形状１１２が変形することで吸収している。よって、衝撃体１６０がさらに車両前方へ進んでも、第２後突部１６４の侵入量を少なくできる。これにより、第２後突部１６４が開閉スイッチ１４４と接触することを防ぐ、または開閉スイッチ１４４と接触したとしてもその衝撃を少なくすることが可能であり、リアバンパテスト後に開閉スイッチ１４４が機能不能になることを防いでいる。
【００２４】
なおヒットポイントである第１後突部１６２によって凸形状１１２がつぶれやすくなるよう、凸形状１１２は、本実施形態のように後方に向かうほど凸となる形状であるのが好ましい。しかしながらこれに限定するわけではなく、凸形状１１２は任意の形状で後方に突出していてよい。
【００２５】
図４は、図２のバックパネル１１０を車内側から見た斜視図である。図４において、バックパネル１１０の車両前方には車両後部の床面を形成するリアフロアパネル１２２が連接している。リアフロアパネル１２２の車幅方向中央には凹状に窪んだスペアタイヤ収納部１２８が設けられている。図４に示すように、凸形状１１２は、このスペアタイヤ収納部１２８と連続する空間を形成していて、凸形状１１２の底部１１４はフロアパネル１２２と略同等の高さにある。
【００２６】
図４において、凸形状１１２の底部１１４の車内側には、車載工具であるジャッキ１２０を保持する保持部材が設けられている。本実施形態では、保持部材は、ジャッキ１２０を支持するワイヤ１２４と、当該ワイヤ１２４が固定されるブラケット１２６とで構成されている。なお凸形状１１２の車内側でジャッキ１２０がぐらついたりすることのないよう、底部１１４の車内側には凹凸がないことが好ましいが、これに限定するわけではなく、底部１１４の車内側に例えば凹凸が存在していてもよい。
【００２７】
なお本実施形態では、図３では省略されているが図４に示すように、底部１１４の車内側に、保持部材であるワイヤ１２４とブラケット１２６とが設けられている。しかし例えばワイヤ１２４、ブラケット１２６、および／またはバックパネル１１０の剛性を調整することで、リアバンパテスト時における衝撃吸収および侵入量の軽減に影響を与えることを防止できる。なおリアバンパテスト時に、ジャッキ１２０等の車載工具は備えていてもよいし、逆に備えていなくてもよい。
【００２８】
（第２実施形態）
図５は、本発明の第２実施形態に係る車体後部構造を適用する車両２００の車体後部の断面を示した図３と対応する図である。図５において、図１〜図３と同様の要素は同一の参照符号で示し、説明を省略する。
【００２９】
図５において、第２実施形態では、バックパネル１１０に形成された凸形状２１２が、第１実施形態ほど後方に突出していない点において第１実施形態と異なる。具体的には、凸形状２１２の後端２１７が、車両前後方向において、開閉スイッチ１４４よりも所定の距離Ｌ１だけ前方の位置にある。この所定の距離Ｌ１は、衝撃体１６０の第１後突部１６２と第２後突部１６４との車両前後方向における距離Ｌ２以下に設定されている。このようにすることで、リアバンパテスト時、第２後突部１６４が開閉スイッチ１４４に後突するよりも先に第１後突部１６２がリアバンパ１０４およびバックパネル１１０に後突するようになる。よって、第１実施形態と同様に、リアバンパ１０４およびバックパネル１１０で衝撃体１６０による衝撃を吸収するとともに第２後突部１６４の侵入量を減らすことが可能になる。
【００３０】
以上、添付図面を参照しながら本発明の好適な実施例について説明したが、以上に述べた実施形態は、本発明の好ましい例であって、これ以外の実施態様も、各種の方法で実施または遂行できる。特に本願明細書中に限定される主旨の記載がない限り、この発明は、添付図面に示した詳細な部品の形状、大きさ、および構成配置等に制約されるものではない。また、本願明細書の中に用いられた表現および用語は、説明を目的としたもので、特に限定される主旨の記載がない限り、それに限定されるものではない。
【００３１】
したがって、当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３２】
本発明は、車体の後端に設置されるリアバンパを備える車体後部構造に利用することができる。
【符号の説明】
【００３３】
１００、２００…車両、１０２…バックドア、１０４…リアバンパ、１１０…バックパネル、１１２、２１２…凸形状、１１４…凸形状の底部、１１７、２１７…凸形状の後端、１２０…ジャッキ、１２２…リアフロアパネル、１２４…ワイヤ、１２６…ブラケット、１２８…スペアタイヤ収納部、１４０…ラッチ、１４２…ストライカ、１４４…開閉スイッチ、１４６…間隙、１６０…衝撃体、１６２…第１後突部、１６４…第２後突部、１６６…第１後突部の前面
【図１】
0006657672.tif 000002
【図２】
0006657672.tif 000003
【図３】
0006657672.tif 000004
【図４】
0006657672.tif 000005
【図５】
0006657672.tif 000006